(57)【要約】【課題】コンパクト化可能なレンズ鏡筒を提供する。【解決手段】レンズ鏡筒２０は、第１枠体１０５と、第２枠体２５０と、保持枠４００と、退避レンズ枠４０１とを、備えている。第２枠体２５０は、第１枠体１０５に支持されている。保持枠４００は、第２枠体２５０に保持され、第２枠体２５０に対して光軸と垂直な面内で移動可能である。退避レンズ枠４０１は、保持枠４００に保持され、かつ、撮影可能状態と収納状態との移行期間において光軸と略平行な退避軸５０１回りに移動する。第２枠体２５０、保持枠４００、および退避レンズ枠４０１は、撮影可能状態と収納状態との移行期間において、第１枠体１０５に対して光軸方向に移動する。第１枠体１０５は、撮影可能状態と収納状態との移行期間において、保持枠４００の面内の移動を規制する。【選択図】図５
2015079017.tif 000002
【特許請求の範囲】
【請求項１】
第１枠体と、
前記第１枠体に支持された第２枠体と、
前記第２枠体に保持され、前記第２枠体に対して光軸と垂直な面内で移動可能な保持枠と、
前記保持枠に保持され、かつ、撮影可能状態と収納状態との移行期間において光軸と略平行な退避軸回りに移動する退避レンズ枠と、
を備え、
前記第２枠体、前記保持枠、および前記退避レンズ枠は、撮影可能状態と収納状態との移行期間において、前記第１枠体に対して光軸方向に移動し、
撮影可能状態と収納状態との移行期間において、前記第１枠体は、前記保持枠の前記面内の移動を規制する、
レンズ鏡筒。
【請求項２】
前記第１枠体は、撮影可能状態と収納状態との移行期間において前記保持枠の移動を規制する規制部を、有し、
前記保持枠は、前記規制部が係合する係合部を、有している、
請求項１に記載のレンズ鏡筒。
【請求項３】
前記規制部は、前記第１枠体に設けられ光軸方向に突出する第１突出部であり、
前記係合部は、前記保持枠の外周部に突出して設けられ前記第１突出部が当接する第２突出部である、
請求項１又は２に記載のレンズ鏡筒。
【発明の詳細な説明】
【技術分野】
【０００１】
ここに開示される技術は、光学系を備えるレンズ鏡筒に関する。
【背景技術】
【０００２】
従来、ブレ補正レンズ群室が、光軸と直交する方向において第４レンズ群室の外方に退避可能なレンズ鏡筒が、開示されている（特許文献１を参照）。
【先行技術文献】
【特許文献】
【０００３】
【特許文献１】特開２００７−１６３９６１号公報
【発明の概要】
【発明が解決しようとする課題】
【０００４】
従来技術では、撮影状態において、ブレ補正レンズ群室（退避レンズ枠に対応）が、第３レンズ群筒のブレ補正機構部によって光軸と直交する方向にシフト変位させられる。これにより、像ブレが低減される。このブレ補正レンズ群筒室は、収納状態において、第４レンズ群室の半径方向外方に退避している。この状態において、ブレ補正レンズ群室が第４レンズ群室に接触しないように、ブレ補正レンズ群室と第４レンズ群室との間には、クリアランスを設けておく必要がある。このようなクリアランスの存在は、レンズ鏡筒の小型化の妨げになっていた。
【０００５】
ここに開示される技術は、上記のような問題に鑑みてなされたものであって、本発明の目的は、レンズ鏡筒を小型化することにある。
【課題を解決するための手段】
【０００６】
ここに開示されるレンズ鏡筒は、第１枠体と、第２枠体と、保持枠と、退避レンズ枠とを、備えている。第２枠体は、第１枠体に支持されている。保持枠は、第２枠体に保持され、第２枠体に対して光軸と垂直な面内で移動可能である。退避レンズ枠は、保持枠に保持され、かつ、撮影可能状態と収納状態との移行期間において光軸と略平行な退避軸回りに移動する。第２枠体、保持枠、および退避レンズ枠は、撮影可能状態と収納状態との移行期間において、第１枠体に対して光軸方向に移動する。第１枠体は、撮影可能状態と収納状態との移行期間において、保持枠の面内の移動を規制する。
【発明の効果】
【０００７】
ここに開示される技術によれば、小型化可能なレンズ鏡筒を、提供することができる。
【図面の簡単な説明】
【０００８】
【図１】デジタルカメラの斜視図
【図２】レンズ鏡筒の斜視図（沈胴状態）
【図３】レンズ鏡筒の斜視図（ワイド状態）
【図４】レンズ鏡筒の分解斜視図
【図５】マスターフランジ及びシャッターユニットの斜視図
【図６】マスターフランジ及びシャッターユニットの断面図
【図７】マスターフランジの退避カムの拡大側面図
【図８】シャッターユニット、ＯＩＳ枠、及び退避レンズ枠の斜視図
【図９】シャッターユニットの拡大斜視図
【図１０】退避レンズ枠が装着されたＯＩＳ枠を撮像素子側から見た図
【図１１】軸保持部近傍の断面図
【図１２】回り止め部近傍の断面図
【図１３】ＯＩＳ枠のレール部と、第３レンズ群の移動範囲とを示す図。
【図１４】退避レンズ枠が装着されたＯＩＳ枠の斜視図
【図１５Ａ】退避レンズ枠が装着されたＯＩＳ枠を撮像素子側から見た図（撮影可能状態）
【図１５Ｂ】退避レンズ枠が装着されたＯＩＳ枠を撮像素子側から見た図（沈胴状態）
【図１６】退避レンズ枠の側面図
【図１７Ａ】軸保持部を軸芯と直交する面で切った断面図
【図１７Ｂ】退避レンズ枠と回動バネとの対応を示す図（その１）
【図１７Ｃ】退避レンズ枠と回動バネとの対応を示す図（その２）
【図１８】第３レンズ群と当接部との位置関係を示す断面図
【図１９】アクチュエータ及び退避レンズ枠の配置を示す図
【図２０】レンズ鏡筒の模式断面図（沈胴状態）
【図２１】レンズ鏡筒の模式断面図（ワイド状態）
【図２２】レンズ鏡筒の模式断面図（テレ状態）
【図２３】第２実施形態に係るレンズ鏡筒の斜視図
【図２４】レンズ鏡筒の分解斜視図
【図２５】レンズ鏡筒の模式断面図（沈胴状態）
【図２６】レンズ鏡筒の模式断面図（ワイド状態）
【図２７】レンズ鏡筒の模式断面図（テレ状態）
【図２８】第３直進枠の斜視図
【図２９】第３直進枠の斜視図
【図３０】シャッター枠の斜視図
【図３１】シャッター枠、ＯＩＳ枠、及び退避レンズ枠の斜視図
【図３２】ＯＩＳ枠の斜視図
【図３３】他の実施形態に係る、ＯＩＳ枠の回り止め部に退避レンズ枠が係合した状態の拡大断面図
【発明を実施するための形態】
【０００９】
（実施の形態１）
次に、図１から図２２を用いて、本発明の第１の実施形態について説明する。以下に示す第１の実施形態の説明における番号及び記号は、図１から図２２の番号及び記号に対応する。
以下の図面の記載において、同一又は類似の部分には、同一又は類似の符号を付している。ただし、図面は模式的なものであり、各寸法の比率等は現実のものとは異なっている場合がある。従って、具体的な寸法等は以下の説明を参酌して判断すべきである。また、図面相互間においても互いの寸法の関係や比率が異なる部分が含まれていることは勿論である。
【００１０】
なお、以下の実施形態では、撮像装置としてデジタルカメラを例に挙げて説明する。以下の説明では、横撮り姿勢のデジタルカメラを基準として、被写体側を「前」、被写体の反対側を「後」、鉛直上側を「上」、鉛直下側を「下」、被写体に向かって右側を「右」、被写体に向かって左側を「左」と表現する。横撮り姿勢とは、デジタルカメラの姿勢の一種であり、横撮り姿勢で撮影する場合、横長矩形画像の長辺方向は画像内における水平方向に略一致する。
１．デジタルカメラの全体構成
デジタルカメラ１の構成について、図面を参照しながら説明する。図１は、デジタルカメラ１の斜視図である。図２及び図３は、レンズ鏡筒２０の斜視図である。なお、図２では、沈胴状態のレンズ鏡筒２０が図示され、図３では、ワイド状態のレンズ鏡筒２０が図示されている。
【００１１】
デジタルカメラ１は、図１に示すように、筐体１０と、レンズ鏡筒２０と、を備える。
筐体１０は、前板１１と、後板１２と、側板１３と、によって構成される。前板１１には、開口１０Ｓが形成されている。
レンズ鏡筒２０は、３段沈胴式のズーム機構を備える。レンズ鏡筒２０は、非撮影時には筐体１０に収容されており、撮影時には開口１０Ｓから前方に繰り出される。具体的に、レンズ鏡筒２０は、図２及び図３に示すように、第１移動鏡筒部２１と、第２移動鏡筒部２２と、第３移動鏡筒部２３と、固定鏡筒部２４と、を有している。
【００１２】
第１移動鏡筒部２１は、固定鏡筒部２４に対して繰り出し可能である。第２移動鏡筒部２２は、第１移動鏡筒部２１に対して繰り出し可能である。第３移動鏡筒部２３は、第２移動鏡筒部２２に対して繰り出し可能である。固定鏡筒部２４は、筐体１０内に固定される。図３に示すように、レンズ鏡筒２０が繰り出された場合、第１乃至第３移動鏡筒部２１〜２３のうち第３移動鏡筒部２３が最も前方に位置する。
２．レンズ鏡筒の構成
次に、レンズ鏡筒２０の構成について、図面を参照しながら説明する。図４は、レンズ鏡筒２０の分解斜視図である。
【００１３】
レンズ鏡筒２０の第１乃至第３移動鏡筒部２１〜２３は、光学系の光軸ＡＸに沿って固定鏡筒部２４から繰り出される。光学系には、第１乃至第５レンズ群Ｌ１〜L５が含まれる。なお、以下の説明では、光軸ＡＸに平行な方向を「光軸方向」、光軸方向に垂直な方向を「径方向」、光軸ＡＸを中心とする円に沿った方向を「周方向」と称する。光軸ＡＸは、レンズ鏡筒２０を構成する各枠の軸心と略一致する。
【００１４】
また、本実施形態において、「直進」とは、周方向に回転することなく光軸方向に移動することを意味する。「移動」は、周方向に回転しながら光軸方向に移動することも含む概念である。
レンズ鏡筒２０は、図４に示すように、固定枠１００、マスターフランジ１０５、第１直進枠１１０、第２直進枠１２０、第３直進枠１３０、第１回転枠２１０、第２回転枠２２０、第１化粧枠３１０、第２化粧枠３２０、第２レンズ群枠Ｆ２、第３レンズ群枠Ｆ３、第４レンズ群枠Ｆ４及び第５レンズ群枠Ｆ５を備える。
【００１５】
本実施形態において、固定枠１００及びマスターフランジ１０５は、固定鏡筒部２４を構成している。また、第１直進枠１１０は、第３移動鏡筒部２３を構成し、第３直進枠１３０、第１回転枠２１０及び第２化粧枠３２０は、第２移動鏡筒部２２を構成し、第２直進枠１２０及び第２回転枠２２０は、第１移動鏡筒部２１を構成している。
固定枠１００は、円筒状に形成されている。固定枠１００は、内周面に形成される直進溝ａ１及びカム溝ｂ１を有する。固定枠１００の外周面には、ズームモータ１０１及びズームギア１０２が取り付けられる。ズームモータ１０１は、第１乃至第３移動鏡筒部２１〜２３を繰り出すための駆動源である。ズームギア１０２は、ズームモータ１０１の駆動力を第２回転枠２２０に伝達する。
【００１６】
マスターフランジ１０５は、固定枠１００の後方を覆う板状の樹脂部材である。マスターフランジ２４４の中央には、撮像素子１０３が嵌め込まれている。
第１直進枠１１０は、円筒状に形成され、第１回転枠２１０の外側に配置されている。第１直進枠１１０は、直進溝ａ２と、カム突起Ｂ２と、を有する。直進溝ａ２は、内周面において光軸方向に沿って形成される。カム突起Ｂ２は、内周面の後端部に配置されている。カム突起Ｂ２は、後述する第１回転枠２１０のカム溝ｂ２に係合される。また、第１直進枠１１０は、レンズ鏡筒２０内に光を取り込むための第１レンズ群Ｌ１を保持している。第１直進枠１１０には、第１化粧枠３１０が被されている。
【００１７】
第２直進枠１２０は、円筒状に形成され、第１直進枠１１０の内側に配置されている。第２直進枠１２０は、フランジ部１２１と、直進突起Ａ１と、バヨネット突起Ｅ１と、直進突起Ａ３１と、直進溝ａ３２と、カム溝ｂ３と、を有する。フランジ部１２１は、円環状に形成されており、外周面の後端部に立設されている。直進突起Ａ１は、フランジ部１２１の外周面に立設されている。直進突起Ａ１は、固定枠１００の直進溝ａ１に係合される。バヨネット突起Ｅ１は、フランジ部１２１の外周面に立設されている。バヨネット突起Ｅ１は、後述する第２回転枠２２０のバヨネット溝ｅ１に係合される。直進突起Ａ３１は、外周面において光軸方向に沿って形成される。直進突起Ａ３１は、後述する第３直進枠１３０の直進溝ａ３に係合される。直進溝ａ３２は、外周面において直進突起Ａ３１に沿って形成される。直進溝ａ３２には、後述する第３直進枠１３０の直進突起Ａ３２が係合される。カム溝ｂ３は、外周面において光軸方向と交差するように形成される。
【００１８】
第３直進枠１３０は、円筒状に形成され、第２直進枠１２０の内側に配置されている。第３直進枠１３０は、直進突起Ａ２と、直進突起Ａ３２と、直進溝ａ３１と、バヨネット突起Ｅ２と、貫通溝ｃ１と、貫通溝ｃ２と、を有する。直進突起Ａ２は、外周面の前端部に立設されている。直進突起Ａ２は、第１直進枠１１０の直進溝ａ２に係合される。直進突起Ａ３２は、外周面において光軸方向に沿って形成される。直進突起Ａ３２は、第２直進枠１２０の直進溝ａ３２に係合される。直進溝ａ３１は、外周面において直進突起Ａ３２に沿って形成されている。直進溝ａ３１には、第２直進枠１２０の直進突起Ａ３１が係合される。バヨネット突起Ｅ２は、外周面上において周方向に沿って形成されている。バヨネット突起Ｅ２は、後述する第１回転枠２１０のバヨネット溝ｅ２に係合される。貫通溝ｃ１及び貫通溝ｃ２は、内周面から外周面まで枠本体を貫通しており、光軸方向に沿って形成されている。
【００１９】
第１回転枠２１０は、円筒状に形成され、第１直進枠１１０の内側に配置されている。第１回転枠２１０は、バヨネット突起Ｅ３と、直進突起Ａ４と、カム突起Ｂ３と、カム溝ｂ２と、カム溝ｂ４と、カム溝ｂ５と、を有する。バヨネット突起Ｅ３は、外周面の後端部において周方向に沿って形成されている。バヨネット突起Ｅ３は、後述する第２化粧枠３２０のバヨネット溝ｅ３に係合される。直進突起Ａ４は、バヨネット突起Ｅ３の外周面に立設されている。直進突起Ａ４は、後述する第２回転枠２２０の直進溝ａ４に係合される。カム突起Ｂ３は、内周面上に配置される。カム突起Ｂ３は、第２直進枠１２０のカム溝ｂ３に係合される。カム溝ｂ２は、外周面において光軸方向と交差するように形成される。カム溝ｂ４及びカム溝ｂ５は、内周面において光軸方向と交差するように形成される。
【００２０】
第２回転枠２２０は、円筒状に形成され、固定枠１００の内側に配置されている。第２回転枠２２０は、ギア部２２１と、カム突起Ｂ１と、直進溝ａ４と、バヨネット溝ｅ１と、を有する。ギア部２２１は、外周面の後端部において周方向に沿って形成される。ギア部２２１がズームギア２４２に噛合することによって、第２回転枠２２０はズームモータ１０１の駆動力によって周方向に回転される。カム突起Ｂ１は、固定枠１００のカム溝ｂ１に係合される。直進溝ａ４は、内周面において光軸方向に沿って形成される。直進溝ａ４には、第１回転枠２１０の直進突起Ａ４が係合される。バヨネット溝ｅ１は、内周面の後端部において周方向に沿って形成される。バヨネット溝ｅ１には、第１直進枠１１０のバヨネット突起Ｅ１が係合される。
【００２１】
第１化粧枠３１０は、第１直進枠１１０の外周及び前面を覆っている。第１化粧枠３１０には、外部から光を取り込むための開口が形成されている。第１レンズ群Ｌ１は、第１直進枠１１０の開口の内側に配置されている。
第２化粧枠３２０は、円筒状に形成され、第１回転枠２１０の外側に配置されている。第２化粧枠３２０は、直進突起Ａ４１と、バヨネット溝ｅ３と、を有する。直進突起Ａ４は、外周面の後端部に立設されている。直進突起Ａ４１は、第２回転枠２２０の直進溝ａ４に係合される。バヨネット溝ｅ３は、内周面の後端部において周方向に沿って形成される。バヨネット溝ｅ３には、第１回転枠２１０のバヨネット突起Ｅ３が係合される。
【００２２】
第２レンズ群枠Ｆ２は、円盤状に形成され、第３直進枠１３０の内側に配置される。第２レンズ群枠Ｆ２は、ズームのために用いられる第２レンズ群Ｌ２を保持している。第２レンズ群枠Ｆ２は、外周面上に立設されるカム突起Ｂ４を有する。カム突起Ｂ４は、第３直進枠１３０の貫通溝ｃ１に挿入されるとともに、第１回転枠２１０のカム溝ｂ４に係合される。
【００２３】
第３レンズ群枠Ｆ３は、シャッターユニットと、ＯＩＳ（Ｏｐｔｉｃａｌ  Ｉｍａｇｅ  Ｓｔａｂｉｌｉｚｅｒ）ユニットとを、有している。シャッターユニットは、ＯＩＳユニットを保持している。シャッターユニットは、円筒状に形成され、第３直進枠１３０の内側に配置される。第３レンズ群枠Ｆ３は、シャッター機構を内蔵している。第３レンズ群枠Ｆ３は、外周面上に立設されるカム突起Ｂ５を有している。カム突起Ｂ５は、第３直進枠１３０の貫通溝ｃ２に挿入されるとともに、第１回転枠２１０のカム溝ｂ５に係合される。
【００２４】
ＯＩＳ（Ｏｐｔｉｃａｌ  Ｉｍａｇｅ  Ｓｔａｂｉｌｉｚｅｒ）ユニットは、主に、ＯＩＳ枠４００と、退避レンズ枠４０１と、を有している。
ＯＩＳ枠４００は、シャッター枠３３５に装着されている。ＯＩＳ枠４００は、光軸と垂直な面内で移動可能である。例えば、ＯＩＳ枠４００は、アクチュエータにより、光軸と垂直な面内で移動させられる。
【００２５】
退避レンズ枠４０１は、光軸と略平行な退避軸回りに移動可能に、ＯＩＳ枠４００に保持されている。退避レンズ枠４０１は、像ぶれ補正用の第３レンズ群Ｌ３を保持する。第３レンズ群Ｌ３は、少なくとも１つのレンズから構成される。退避レンズ枠４０１は、第３レンズ群Ｌ３が像ぶれ補正を実行可能な補正可能位置（第１姿勢）から、第３レンズ群Ｌ３が光軸から退避した退避位置（第２姿勢）へと、その位置を変更可能である。
【００２６】
第４レンズ群枠Ｆ４は、固定枠１００に支持される。第４レンズ群枠Ｆ４は、合焦のために用いられる第４レンズ群Ｌ４を保持している。
第５レンズ群枠Ｆ５は、マスターフランジ１０５に支持される。第５レンズ群枠Ｆ５は、第５レンズ群Ｌ５を保持している。
３．レンズ鏡筒を構成する部材の詳細構成
「２．レンズ鏡筒の構成」においては、各部材の概要を説明したが、ここでは、マスターフランジ１０５の構成と、第３レンズ群枠Ｆ３の構成とを、より詳細に説明する。
３−１．マスターフランジ
図５に示すように、マスターフランジ１０５は、マスターフランジの本体部１０６（第１本体部）と、マスターフランジの規制部１０７（第１規制部）と、第１退避カム１２５と、第２退避カム１２６とを、有している。第１本体部１０６は、円盤状に形成されている。第１本体部１０６の中央部には、上述した撮像素子１０３が装着されている。
【００２７】
第１規制部１０７は、ＯＩＳ枠４００の移動を規制する。詳細には、第１規制部１０７は、ＯＩＳユニット２５１に係合し、ＯＩＳ枠４００の移動を規制する。具体的には、第１規制部１０７は、レンズ鏡筒２０が撮影可能状態から沈胴状態へと移行する場合（又は、レンズ鏡筒２０が沈胴状態から撮影可能状態へと移行する場合）に、ＯＩＳユニット２５１に係合し、ＯＩＳ枠４００の移動を規制する。ここでは、「レンズ鏡筒が撮影可能状態から沈胴状態へと移行する場合」という文言は、「レンズ鏡筒が沈胴状態から撮影可能状態へと移行する場合」という意味を含む文言として用いられる場合がある。
【００２８】
図５及び図６に示すように、詳細には、第１規制部１０７は、第１本体部１０６に一体に形成されている。具体的には、第１規制部１０７は、第１本体部１０６から外方に突出した２つの突出部１０８から、構成されている。２つの突出部１０８は、ＯＩＳユニット２５１のＯＩＳ枠４００に係合する。図６に示すように、２つの突出部１０８は、第２直進枠１２０の内周部１２０ａに当接している。これにより、２つの突出部１０８の倒れが防止されている。
【００２９】
各突出部１０８の先端部の内周側には、傾斜部が形成されている。この傾斜部が、ＯＩＳ枠４００が可動できる可動姿勢（撮影可能状態の姿勢）から、ＯＩＳ枠４００の可動を制限する可動制限姿勢へと、ＯＩＳ枠４００を案内する。
各突出部の基端側の内周部（上記の先端部（傾斜部）を除く部分、中央部を含む）は、面状に形成されている。内周部は、ＯＩＳ枠４００を可動制限姿勢で保持する部分である。ＯＩＳ枠４００を先端側の傾斜部から基端側の内周部へと案内することによって、ＯＩＳ枠４００の面内の移動を、確実に規制することができる。なお、ＯＩＳ枠４００の面内の移動を規制する形態については、ＯＩＳ枠４００（係合部）の説明において、詳細に説明する。
【００３０】
図５及び図７に示すように、第１退避カム１２５は、マスターフランジ１０５に一体に形成された一方向に長い部分である。第１退避カム１２５は、第１案内部１２５ａと、第２案内部１２５ｂと、保持部１２５ｃとを、有している。
第１案内部１２５ａは、退避レンズ枠４０１の押圧部６０５に当接し、退避レンズ枠４０１を退避させる。第１案内部１２５ａは、第１退避カム１２５の先端部に傾斜して形成された部分である。
【００３１】
第１案内部１２５ａが押圧部６０５に当接している状態では、ＯＩＳ枠４００は、突出部１０８によって、ＯＩＳ枠４００が可動できる可動姿勢（撮影可能状態の姿勢）から、ＯＩＳ枠４００の可動を制限する姿勢（可動制限姿勢）へと、案内されている。
第２案内部１２５ｂは、退避レンズ枠４０１の押圧部６０５に当接し、退避レンズ枠４０１を、さらに退避させる。第２案内部１２５ｂは、第１案内部１２５ａに連続して形成されており、第１案内部１２５ａとは異なる角度で形成されている。第２案内部１２５ｂが退避レンズ枠４０１の押圧部６０５に当接している状態では、ＯＩＳ枠４００は、ＯＩＳ枠４００は可動制限姿勢になっている。
【００３２】
保持部１２５ｃは、退避レンズ枠４０１を退避させた位置で一時的に保持する部分である。退避レンズ枠４０１は、後述する第２退避カム１２６によって、最終的に位置決めされる。保持部１２５ｃは、光軸方向に直線状に形成されている。保持部１２５ｃが退避レンズ枠４０１の押圧部６０５に当接している状態では、ＯＩＳ枠４００は、ＯＩＳ枠４００は可動制限姿勢になっている。
【００３３】
第２退避カム１２５は、退避レンズ枠４０１を最終的に位置決めする部分である。図５に示すように、第２退避カム１２６は、第２退避カム１２６は、２つの突出部１０８の間に形成されている。第２退避カム１２５は、傾斜部を有している。この傾斜部によって、退避レンズ枠４０１は、退避位置へと案内され退避位置において位置決めされる。
３−２．第３レンズ群枠
３−２−１．シャッターユニット
図８に示すように、シャッターユニット２５０は、第３レンズ群枠Ｆ３に含まれる。シャッターユニット２５０（第２枠体の一例）は、上述したように、第３直進枠１３０と第１回転枠２１０とに係合している。また、シャッターユニット２５０は、マスターフランジ１０５（第１枠体の一例）に支持されている。
【００３４】
シャッターユニット２５０は、図９に示すように、ＯＩＳ枠４００の移動を規制するための規制部４２０（第２規制部）と、後述するＯＩＳ枠４００の第１応力分散部５１１（ＯＩＳ枠の当接部）に当接する第２応力分散部４２２（シャッターユニットの当接部）とを、有している（図１９を参照）。第２応力分散部４２２は、所定の幅を有する円弧形状に形成されている。第１応力分散部５１１の詳細については、後述する。
【００３５】
また、シャッターユニット２５０は、段差部４２３を、さらに有している。段差部４２３は、ＯＩＳ枠４００に対向する面に形成されている。退避レンズ枠４０１が第１姿勢から第２姿勢（退避姿勢）へとその姿勢（位置）を変化した場合に、段差部４２３には、後述する、退避レンズ枠４０１の収容部５５０が、配置される。これにより、光軸方向のコンパクト化を図ることができる。
３−２−２．ＯＩＳユニット
図８に示すように、シャッターユニット２５０は、第３レンズ群枠Ｆ３に含まれる。ＯＩＳユニット２５１は、マスターフランジ１０５とシャッターユニット２５０との間に配置される。ＯＩＳユニット２５１は、シャッターユニット２５０に装着される。ＯＩＳユニット２５１（第１ユニットの一例）は、ＯＩＳ枠４００（保持枠の一例）と、退避レンズ枠４０１と、スラストバネ４０２（第１付勢手段の一例）と、回動バネ４０３（第２付勢手段の一例、付勢部材の一例）と、を有している。
（ＯＩＳ枠）
ＯＩＳ枠４００（保持枠の一例）は、シャッターユニット２５０に保持されている。ＯＩＳ枠４００は、シャッターユニット２５０に対して、光軸ＡＸと垂直な面内で移動可能なように、構成されている。ＯＩＳ枠４００は、アクチュエータ５２０によって、光軸ＡＸと垂直な面内で移動させられる。
【００３６】
図８及び図１０−図１３に示すように、ＯＩＳ枠４００は、ＯＩＳ枠４００の本体部５００（第２本体部）と、退避軸部５０１と、回り止め部５０２と、少なくとも３つのレール部５０３と、係合部５０４（図５−図６を参照）と、を有している。
図８に示すように、第２本体部５００は、略円板状に形成されている。第２本体部５００は、退避レンズ枠４０１を収容するための収容部５５０を、有している。収容部５５０は、互いに対向する２つの連結部５５０ａを、有している。連結部５５０ａは、第２本体部５００に一体に形成されている。詳細には、２つの連結部５５０ａの間における中央部が、シャッターユニット２５０における光軸方向の略中央部（厚み方向の略中央部）に位置するように、連結部５５０ａは、第２本体部５００に一体に形成されている。
【００３７】
図８及び図１１に示すように、退避軸部５０１は、第２本体部５００に形成されている。退避軸部５０１は、円筒部５０１ａと、退避軸５０１ｂとを、有している。円筒部５０１ａは、第２本体部５００の外周部に形成されている。退避軸５０１ｂは、第２本体部５００に形成されている。具体的には、退避軸５０１ｂは、円筒部５０１ａの内方に向けて突出するように、第２本体部５００に形成されている。
【００３８】
図１０及び図１２に示すように、回り止め部５０２は、回動バネ４０３による退避レンズ枠４０１の移動を、規制する。回り止め部５０２は、第２本体部５００から外方に突出して形成されている。回り止め部５０２は、傾斜面５０２ａを有している。傾斜面５０２ａは、退避レンズ枠４０１をＯＩＳ枠４００（第２本体部５００）に近づく方向に案内する部分である。傾斜面５０２ａは、第２本体部５００に対向した状態で傾斜している。言い換えると、傾斜面５０２ａは、光軸ＡＸに対して傾斜している。
【００３９】
なお、ここでは、傾斜面５０２ａが１つの角度で傾斜している場合の例を示したが、傾斜面５０２ａは、多段階に傾斜するように形成してもよい。また、傾斜面５０２ａは、曲面状に傾斜するように形成してもよい。
図１０及び図１３に示すように、少なくとも３つのレール部５０３、例えば３つのレール部５０３（５０３ａ〜５０３ｃ）は、第２本体部５００に形成されている。各レール部５０３は、略円板状の第２本体部５００の一面に形成されている。各レール部５０３は、退避レンズ枠４０１に形成される当接部６０３（後述する第１当接部６０３Ａ及び第２当接部６０３Ｂ）と対向する位置において、第２本体部５００に形成されている。
【００４０】
また、図１３に示すように、ＯＩＳ枠４００を光軸方向から見て、退避レンズ枠４０１に保持された第３レンズ群Ｌ３が移動する範囲を、第２本体部５００に投影した部分ＲＭを除いた部分において、各レール部５０３は、第２本体部５００に形成されている。さらに、レンズ鏡筒２０が撮影可能状態から沈胴状態へと移行する場合に、後述する当接部６０３（第１当接部６０３Ａ及び第２当接部６０３Ｂ）が移動する軌跡に対応する形状に、形成されている。
【００４１】
上述したように、係合部５０４は、マスターフランジ１０５に形成された第１規制部１０７、例えば２つの突出部１０８に、係合する（図５及び図６を参照）。図１４に示すように、係合部５０４は、第２本体部５００に一体に形成されている。具体的には、係合部５０４は、第２本体部５００の外周部から外方に突出した部分である。これら２つの係合部５０４は、マスターフランジ１０５の２つの突出部１０８に、各別に係合する。具体的には、各係合部５０４が、マスターフランジ１０５の各突出部１０８によって押圧される。これにより、ＯＩＳ枠４００の面内の移動が、規制される。
【００４２】
詳細には、図６に示すように、レンズ鏡筒２０が撮影可能状態から沈胴状態へと移行する場合、ＯＩＳ枠４００が、シャッターユニット２５０に対して光軸方向に移動する。すると、マスターフランジ１０５の２つの突出部１０８が、ＯＩＳ枠４００の２つの突起部に各別に係合し、ＯＩＳ枠４００の面内の移動を、規制する。より詳細には、まず、各係合部５０４が各突出部１０８の先端部の内周側に各別に当接し、次に、各係合部５０４が、各突出部１０８の基端側の内周部（先端部を除く部分、中央部を含む）に当接する。これにより、ＯＩＳ枠４００が上述した可動姿勢から可動制限姿勢へと案内され、可動制限姿勢において、ＯＩＳ枠４００の面内の移動が、規制される。
【００４３】
全体構成においては、レンズ鏡筒２０が撮影可能状態から沈胴状態へと移行する場合に、シャッターユニット２５０とＯＩＳユニット２５１とが、マスターフランジ１０５に対して光軸方向に移動する。これらシャッターユニット２５０とＯＩＳユニット２５１とが光軸方向へ移動することによって、マスターフランジ１０５は、上記のようにＯＩＳ枠４００に係合し、ＯＩＳ枠４００の面内の移動を、規制する。
【００４４】
また、図１４に示すように、ＯＩＳ枠４００は、被規制部５１０と、第１応力分散部５１１とを、さらに有している。被規制部５１０は、シャッターユニット２５０の規制部４２０を受ける部分である。ここでは、被規制部５１０の内部に規制部４２０が配置されることによって、シャッターユニット２５０に対する、光軸方向へのＯＩＳ枠４００の移動が、規制される。一方で、ＯＩＳ枠４００は、シャッターユニット２５０に対して、光軸ＡＸと垂直な面内で移動可能である。
【００４５】
第１応力分散部５１１は、後述する退避レンズ枠４０１の押圧部６０５が押圧された時に、シャッターユニット２５０に当接する部分である。第１応力分散部５１１は、被規制部５１０より押圧部６０５に近い位置で、ＯＩＳ枠４００に設けられる。第１応力分散部５１１は、所定の幅を有する円弧形状に形成されている。ここでは、第１応力分散部５１１の幅が、第２応力分散部４２２の幅より小さくなっている。なお、第２応力分散部５１１の幅が、第１応力分散部４２２の幅より小さくなるように形成してもよい。
【００４６】
また、図１０及び図１１に示すように、ＯＩＳ枠４００は、離脱防止部５３０（ＯＩＳ枠４００の規制部）を、さらに有している。離脱防止部５３０は、退避レンズ枠４０１がＯＩＳ枠４００（第２本体部５００）から離脱することを規制する部分である。離脱防止部５３０は、退避軸部５０１に一体に形成されている。離脱防止部５３０は、第２本体部５００と所定の間隔を隔てて設けられている。離脱防止部５３０は、退避軸５０１ｂの近傍に形成される。
（退避レンズ枠）
退避レンズ枠４０１は、少なくとも１つのレンズを、保持している。図１５Ａ及び図１５Ｂに示すように、退避レンズ枠４０１は、４枚のレンズから構成される第３レンズ群Ｌ３を、保持している。退避レンズ枠４０１は、ＯＩＳ枠４００に保持されている（図１０を参照）。また、退避レンズ枠４０１は、沈胴時に光軸ＡＸと略平行な退避軸５０１ｂ回りに移動する。これにより、退避レンズ枠４０１は、沈胴時に光軸ＡＸからずれた位置に配置される。
【００４７】
図１５Ａ及び図１５Ｂに示すように、退避レンズ枠４０１は、レンズ鏡筒２０が撮影可能状態から沈胴状態へと移行する場合、光軸ＡＸと略平行な退避軸５０１ｂ（軸芯ＪＸ）まわりに移動する。詳細には、退避レンズ枠４０１は、レンズ鏡筒２０が撮影可能状態から沈胴状態へと移行する場合に、第３レンズ群Ｌ３が手ぶれ補正を実行可能な第１姿勢から、第３レンズ群Ｌ３が光軸ＡＸから退避した第２姿勢へと、その位置を変更する。
【００４８】
図１６及び図１７に示すように、退避レンズ枠４０１は、退避レンズ枠４０１の本体部６００（第３本体部６００）と、軸保持部６０１（軸受け部の一例）と、レンズ保持部６０２と、複数の当接部６０３（６０３Ａ〜６０３Ｃ）と、を有している。軸保持部６０１は、上述した退避軸５０１ｂと係合する部分である（図１１を参照）。軸保持部６０１は、退避軸５０１ｂを回転自在に保持する。軸保持部６０１は、退避軸５０１ｂが挿入される穴部であり、この穴部は第３本体部６００に形成されている。
【００４９】
図１７に示すように、軸保持部６０１（穴部）は、退避軸５０１ｂに当接する少なくとも２つの当接面６０１ａを、有している。詳細には、軸保持部６０１の内周面には、２つの当接面６０１ａが、形成されている。２つの当接面６０１ａは、退避軸５０１ｂの基端側、すなわち軸保持部６０１（穴部）の開口側において、軸保持部６０１に形成されている（図１１を参照）。２つの当接面６０１ａは、互いに非平行の関係になるように、軸保持部６０１の内周面に形成されている。より具体的には、軸保持部６０１（穴部）を奥行方向に見た場合に、２つの当接面６０１ａが角度をもつように、軸保持部６０１の内周面に形成されている。
【００５０】
図１７Ａに示すように、２つの当接面６０１ａ（以下、Ｖ字面と呼ぶ）は、退避軸５０１ｂの外周面に当接する。具体的には、図１７Ａに示すように、退避レンズ枠４０１は回動バネ４０３の付勢力Ｆ０によって付勢されており、この付勢力Ｆ０の分力Ｆ１によって、退避レンズ枠４０１の軸保持部６０１に形成されたＶ字面６０１ａが、退避軸５０１ｂの外周面に当接させられる。これにより、退避軸５０１ｂを、退避レンズ枠４０１の軸保持部６０１に対して、確実に位置決めすることができる。詳細には、退避軸５０１ｂの偏心に対する精度を、向上することができる。なお、図１７Ａでは、付勢力Ｆ０の分力は、Ｆ１及びＦ２である。
【００５１】
図１６に示したレンズ保持部６０２は、第３レンズ群Ｌ３（４枚のレンズ）を保持する部分である。レンズ保持部６０２は、略円筒状に形成されており、第３レンズ群Ｌ３を内周部で保持している。退避レンズ枠４０１が、シャッターユニット２５０に装着された状態では、レンズ保持部６０２は、光軸方向において、シャッターユニット２５０の略中央部（厚み方向の略中央部）に、配置される。
【００５２】
図１６に示した複数の当接部６０３は、例えば、３つの第１当接部６０３Ａ（６０３Ａ１，６０３Ａ２，６０３Ａ３）と、第２当接部６０３Ｂと、第３当接部６０３Ｃとから構成されている。３つの第１当接部６０３Ａと第２当接部６０３Ｂと第３当接部６０３Ｃとは、軸保持部６０１とは異なる位置において、第３本体部６００に形成されている。言い換えると、３つの第１当接部６０３Ａと第２当接部６０３Ｂと第３当接部６０３Ｃとは、軸保持部６０１により保持される退避軸５０１ｂとは異なる位置において、第３本体部６００に形成されている。また、３つの第１当接部６０３Ａと第２当接部６０３Ｂと第３当接部６０３Ｃとは、ＯＩＳ枠４００に当接可能なように、退避軸５０１ｂとは異なる位置において、第３本体部６００に形成されている。
【００５３】
詳細には、３つの第１当接部６０３Ａの中の２つの当接部６０３Ａ１，６０３Ａ２と、第２当接部６０３Ｂとは、退避軸５０１ｂの近傍において、第３本体部６００に形成されている。これら２つの第１当接部６０３Ａ１，６０３Ａ２の間に退避軸５０１ｂが位置するように、２つの第１当接部６０３Ａ１，６０３Ａ２は、第３本体部６００に形成されている。
【００５４】
また、これら２つの第１当接部６０３Ａ１，６０３Ａ２の一方の当接部と、第２当接部６０３Ｂとの間に、退避軸５０１ｂが位置するように、第２当接部６０３Ｂは、第３本体部６００に形成されている。また、これら２つの第１当接部６０３Ａ１，６０３Ａ２を除いた残りの第１当接部６０３Ａ３と、第３当接部６０３Ｃとは、退避軸５０１ｂから離れた位置において、第３本体部６００に形成されている。
【００５５】
また、図１６に示すように、レンズ保持部６０２に保持された第３レンズ群Ｌ３の光軸ＡＸと、所定の第１当接部６０３Ａとを結ぶ第１線分ＬＮ１と、レンズ保持部６０２に保持された第３レンズ群Ｌ３の光軸ＡＸと退避軸５０１ｂとを結ぶ第２線分ＬＮ２とがなす角度が、鈍角になるように、所定の第１当接部６０３Ａ（６０３Ａ３）が、第３本体部６００に形成されている。所定の第１当接部６０３Ａとは、３つの第１当接部６０３Ａの中の少なくとも１つの当接部である。ここでは、退避軸５０１ｂから最も離れた位置に形成された第１当接部６０３Ａ３が、所定の第１当接部に対応している。
【００５６】
言い換えると、所定の直線ＬＮ３が、上記の所定の第１当接部６０３Ａ３と退避軸５０１ｂとの間に位置するように、退避軸５０１ｂから離れた位置に形成された第１当接部は、第３本体部６００に形成される。所定の直線ＬＮ３は、レンズ保持部６０２に保持された第３レンズ群Ｌ３の光軸ＡＸを通り、且つレンズ保持部６０２に保持された第３レンズ群Ｌ３の光軸ＡＸと退避軸５０１ｂとを結ぶ第２線分ＬＮ２と直交する直線である。
【００５７】
さらに、図１８に示すように、３つの第１当接部６０３Ａ（６０３Ａ１，６０３Ａ２，６０３Ａ３）、第２当接部６０３Ｂ、及び第３当接部６０３Ｃの中の少なくとも１つの当接部は、光軸ＡＸと垂直な方向において第３レンズ群Ｌ３と重なるように、第３本体部６００に形成されている。言い換えると、３つの第１当接部６０３Ａ、第２当接部６０３Ｂ、及び第３当接部６０３Ｃの中の少なくとも１つの当接部が、第３レンズ群Ｌ３の厚みの範囲Ｄ内において、第３レンズ群Ｌ３と重なるように、退避レンズ枠４０１に設けられている。ここでは、３つの第１当接部６０３Ａ、第２当接部６０３Ｂ、及び第３当接部６０３Ｃが、第３レンズ群Ｌ３の厚みの範囲Ｄ内において、光軸ＡＸと垂直な方向で第３レンズ群Ｌ３と重なるように、退避レンズ枠４０１に設けられている。
【００５８】
ここでは、図１６に示した３つの第１当接部６０３Ａ（６０３Ａ１，６０３Ａ２，６０３Ａ３）、及び第２当接部６０３Ｂの中の少なくとも３つの当接部が、ＯＩＳ枠４００に当接可能になっている。すなわち、３つの第１当接部６０３Ａ及び第２当接部６０３Ｂの中の少なくとも３つの当接部が、ＯＩＳ枠４００に当接することにより、退避レンズ枠４０１の光軸方向への移動が規制される。
【００５９】
詳細には、３つの第１当接部６０３Ａ及び第２当接部６０３Ｂの中の少なくとも３つの当接部が、ＯＩＳ枠４００のレール部５０３（図１４を参照）に当接することにより、退避レンズ枠４０１の光軸方向への移動が規制される。具体的には、レンズ鏡筒２０が撮影可能状態である場合、３つの第１当接部６０３Ａ１，６０３Ａ２，６０３Ａ３が、ＯＩＳ枠４００のレール部５０３ａ，５０３ｂ，５０３ｃに、各別に当接する。ここでは、第１当接部６０３Ａ１がレール部５０３ａに当接し、第１当接部６０３Ａ２がレール部５０３ａに当接し、第１当接部６０３Ａ３がレール部５０３ｃに当接する。この場合、第２当接部６０３Ｂは、レール部５０３に当接していない。
【００６０】
一方で、レンズ鏡筒２０が沈胴状態である場合、２つの第１当接部６０３Ａ２，６０３Ａ３と第２当接部６０３Ｂとが、ＯＩＳ枠４００のレール部５０３ａ，５０３ｂ，５０３ｃに、各別に当接する。ここでは、レンズ鏡筒２０が撮影可能状態から沈胴状態へと移行した場合には、３つの第１当接部６０３Ａのいずれか１つの当接部、例えば第１当接部６０３Ａ１が、レール部５０３から離脱し、このレール部５０３に第２当接部６０３Ｂが当接する。このように、３つの第１当接部６０３Ａ及び第２当接部６０３Ｂの中の少なくとも３つの当接部を、常にＯＩＳ枠４００のレール部５０３に当接させることにより、退避レンズ枠４０１の光軸方向への移動を、確実に規制している。
【００６１】
なお、第３当接部６０３Ｃは、レンズ鏡筒２０が撮影可能状態から沈胴状態へと移行する際に、ＯＩＳ枠４００に当接する。詳細については、後述する。
また、図１６に示すように、退避レンズ枠４０１は、押圧部６０５と、係合部６０６とを、さらに有している。押圧部６０５は、退避レンズ枠４０１が撮影可能状態から沈胴状態への移行時に、押圧される部分である。詳細には、退避レンズ枠４０１が撮影可能状態から沈胴状態への移行時に、押圧部６０５は、マスターフランジに設けられた第１退避カム１２５及び第２退避カム１２６により、押圧される（図５を参照）。このように、押圧部６０５が押された場合に、第１応力分散部５１１（図１４）および第２応力分散部４２２（図９を参照）が互いに当接可能にしておくことによって、規制部４２０と被規制部５１０とに作用する荷重を、制限することができる。
【００６２】
係合部６０６は、離脱防止部５３０に係合する部分である。退避レンズ枠４０１では、係合部６０６を、第２本体部５００（ＯＩＳ枠４００の本体部）と、離脱防止部５３０との間に配置することにより（図１１を参照）、退避レンズ枠４０１の光軸方向への離脱が規制される。図１６に示すように、係合部６０６は、軸保持部６０１に一体に形成されている。係合部６０６は、円弧状に形成されている。係合部６０６には、切欠部６０６ｃが形成されている。離脱防止部５３０を切欠部６０６ｃに導入することによって、係合部６０６は、離脱防止部５３０と第３本体部６００との間に配置される。
（スラストバネ）
スラストバネ４０２は、退避レンズ枠４０１をＯＩＳ枠４００に対して付勢するバネである。図８及び図１１に示すように、スラストバネ４０２は、ＯＩＳ枠４００及び退避レンズ枠４０１の少なくともいずれか一方に、装着されている。
【００６３】
スラストバネ４０２は、一対の対向部４４０と、一対の対向部４４０を連結する連結部４４１と、を有している。一対の対向部４４０のいずれか一方（第１対向部４４０ａ）が、ＯＩＳ枠４００に装着され、一対の対向部４４０のいずれか他方（第２対向部４４０ｂ）が、退避レンズ枠４０１に装着される。詳細には、図１１に示したように、ＯＩＳ枠４００の退避軸５０１ｂが退避レンズ枠４０１の軸保持部６０１に保持された状態において、第１対向部４４０ａをＯＩＳ枠４００に装着し、第２対向部４４０ｂを退避レンズ枠４０１に装着する。これによって、スラストバネ４０２は、ＯＩＳ枠４００と退避レンズ枠４０１とを挟持する。
【００６４】
これにより、スラストバネ４０２は、少なくとも２つの当接部６０３を、ＯＩＳ枠４００に当接させる。ここでは、スラストバネ４０２は、退避軸５０１ｂ（軸保持部６０１）の近傍に形成された、２つの第１当接部６０３Ａ（６０３Ａ１，６０３Ａ２）及び第２当接部６０３Ｂの中の少なくとも２つの当接部を、ＯＩＳ枠４００に当接させる。
（回動バネ）
回動バネ４０３は、退避レンズ枠４０１を、退避軸５０１ｂ回りに付勢するバネである。図８に示した回動バネ４０３は、ＯＩＳ枠４００に保持されている。回動バネ４０３は、例えば、ねじりコイルばねである。図１１及び図１７Ｂに示したように、回動バネ４０３のコイルの部分４０３ｃ（コイル部）が、退避軸部５０１の円筒部５０１ａの外周に装着されている。回動バネ４０３の一端部４０３ａは、ＯＩＳ枠４００に形成された溝部４４４に、装着される。回動バネ４０３の他端部４０３ｂは、退避レンズ枠４０１に形成された溝部４４５に、装着される。
【００６５】
回動バネ４０３が退避レンズ枠４０１を付勢することによって、退避レンズ枠４０１の第３当接部６０３Ｃは、ＯＩＳ枠４００の傾斜面５０２ａに、当接する。すると、第３当接部６０３Ｃが傾斜面５０２ａに案内されて、退避レンズ枠４０１が、ＯＩＳ枠４００に接近する。これにより、退避レンズ枠４０１が、ＯＩＳ枠４００に対して位置決めされる。この状態では、第１当接部６０３Ａ３がＯＩＳ枠４００に当接している。
【００６６】
なお、本実施形態では、図１７Ｂに示すように、回動バネ４０３をコイル部４０３ｃの中心軸方向に見た場合、回動バネ４０３の他端部４０３Ｂは直線状に形成されている。これに代えて、図１７Ｃに示すように、回動バネ４０３の他端部４０３ｂにおいて、先端部４０３ｂ２を基端部４０３ｂ１（コイル部４０３ｃ近傍の部分）に対して折り曲げた形状に形成してもよい。
【００６７】
具体的には、回動バネ４０３の基端部４０３ｂ１を基準として、回動バネ４０３の先端部４０３ｂ２が折り曲げられている。言い換えると、基端部４０３ｂ１を基準として、先端部４０３ｂ２が、退避レンズ枠４０１の回動方向に、折り曲げられている。より具体的には、直線状に形成された基端部４０３ｂ１を基準として、先端部４０３ｂ２が、コイル部４０３ｃに近づくように、折り曲げられている。
【００６８】
この場合、退避レンズ枠４０１には、バネ受け部６０７が形成され、このバネ受け部６０７に回動バネ４０３の他端部４０３ｂの先端部４０３ｂが当接する。
このように構成することによって、図１７Ｃに示すように、回動バネ４０３の付勢力Ｆ０’の分力Ｆ１'によって、退避レンズ枠４０１の軸保持部６０１に形成されたＶ字面６０１ａが、退避軸５０１ｂの外周面に当接させられる。図１７Ｂの場合、退避レンズ枠４０１のＶ字面６０１ａを退避軸５０１ｂの外周面に当接させる力Ｆ１’が、図１７Ｂの場合より、大きくなる（Ｆ１’＞Ｆ１）。これにより、退避軸５０１ｂを、退避レンズ枠４０１の軸保持部６０１に対して、より確実に位置決めすることができる。詳細には、退避軸５０１ｂの偏心に対する精度を、より確実に向上することができる。なお、図１７Ｂでは、付勢力Ｆ０’の分力は、Ｆ１’及びＦ２’である。
【００６９】
なお、Ｖ字面６０１ａの形成位置によって、Ｖ字面を退避軸に向けて付勢する力Ｆ１'の大きさ及び方向は、変化する。すなわち、上記の図１７ＢのＶ字面６０１ａの形成位置及び回動バネ４０３の折り曲げ形態は、本技術を説明するための一例である。このため、回動バネ４０３の折り曲げ形態は、前記実施形態に限定されず、Ｖ字面を退避軸に向けて付勢する力Ｆ１'を増加させることができれば、どのようにしてもよい。
３−３．アクチュエータ
アクチュエータ５２０は、第３レンズ群枠Ｆ３に装着されている。詳細には、図１９に示すように、アクチュエータ５２０は、有効撮像範囲ＹＲを基準として、第３レンズ群枠Ｆ３に配置されている。有効撮像範囲ＹＲは、マスターフランジ１０５に装着された撮像素子１０３によって定義される。本実施形態では、有効撮像範囲ＹＲは、矩形状に形成されている。
【００７０】
図１９に示すように、アクチュエータ５２０は、第１アクチュエータ５２１と、第２アクチュエータ５２２とを、有している。第１アクチュエータ５２１は、ＯＩＳ枠４００を、有効撮像範囲ＹＲにおける短辺方向Ｔ１（第１方向）へ、移動させる。第１アクチュエータ５２１は、有効撮像範囲ＹＲにおける一方の短辺側に、配置されている。第１アクチュエータ５２１は、マグネット５２１ａ及びコイル５２１ｂから、構成されている。マグネット５２１ａはＯＩＳ枠４００に装着され、コイル５２１ｂは、マグネット５２１ａに対向する位置において、シャッターユニット２５０に装着されている。
【００７１】
図１９に示すように、第２アクチュエータ５２２は、ＯＩＳ枠４００を、有効撮像範囲ＹＲにおける長辺方向Ｔ２（第２方向）へ、移動させる。第２アクチュエータ５２２は、第１アクチュエータ５２１より大きい。第２アクチュエータ５２２は、有効撮像範囲ＹＲにおける一方の長辺側に、配置されている。具体的には、第２アクチュエータ５２２は、有効撮像範囲ＹＲにおける下方の長辺側に、配置されている。第２アクチュエータ５２２は、マグネット５２２ａ及び２つのコイル５２２ｂから、構成されている。マグネット５２２ａはＯＩＳ枠４００に装着され、２つのコイル５２２ｂは、マグネット５２２ａに対向する位置において、シャッターユニット２５０に装着されている。なお、退避レンズ枠４０１は、有効撮像範囲ＹＲにおける他方の長辺側、例えば上方の長辺側に移動する。
【００７２】
この状態において、電力が、図示しないカメラ回路からシャッターユニット２５０のコイル５２１ｂ，５２２ｂに供給されると、コイル５２１ｂ，５２２ｂに電流が流れ磁界が発生する。この磁界によってＯＩＳ枠４００４００のマグネット５２１ａ，５２２ａが駆動され、この駆動力によりＯＩＳ枠４００４００が光軸ＡＸと垂直な面内で移動する。詳細には、ＯＩＳ枠４００は、第１アクチュエータ５２１によって、短辺方向へ移動し、第２アクチュエータ５２２によって、長辺方向へ移動する。
４．枠どうしの係合
図５乃至図７は、レンズ鏡筒２０の断面図である。ただし、図５乃至:図７は、光軸ＡＸを通る複数の切断面が組み合わされた模式図である。なお、図５では、沈胴状態のレンズ鏡筒２０が図示され、図６では、ワイド状態のレンズ鏡筒２０が図示され、図７では、テレ状態のレンズ鏡筒２０が図示されている。
【００７３】
図５に示すように、沈胴状態では、固定枠１００の径方向内側に第２回転枠２２０、第２化粧枠３２０、第１化粧枠３１０、第１直進枠１１０、第１回転枠２１０、第２直進枠１２０及び第３直進枠１３０が順次収納されている。また、沈胴状態において、第３レンズ群Ｌ３が第４及び第５レンズ群Ｌ４，Ｌ５の径方向外側に退避することによって、光軸方向におけるレンズ鏡筒２０のコンパクト化が実現されている。
【００７４】
以下、図６及び図７を参照しながら、枠どうしの係合について説明する。
第２回転枠２２０のギア部２２１は、ズームギア１０２に噛合される（不図示）。第２回転枠２２０のカム突起Ｂ１は、固定枠１００のカム溝ｂ１に係合される。これにより、第２回転枠２２０は、ズームモータ１０１の駆動力によって周方向に回転しながら光軸方向に移動する。
【００７５】
第２直進枠１２０の直進突起Ａ１は、固定枠１００の直進溝ａ１に係合される。第２直進枠１２０のバヨネット突起Ｅ１は、第２回転枠２２０のバヨネット溝ｅ１に係合される。従って、第２直進枠１２０は、第２回転枠２２０とともに光軸方向に直進する。
第１回転枠２１０の直進突起Ａ４は、第２回転枠２１０の直進溝ａ４に係合される。第１回転枠２１０のカム突起Ｂ３は、第２直進枠１２０のカム溝ｂ３に係合される。従って、第１回転枠２１０は、第２回転枠２１０とともに周方向に回転しながら、第２直進枠１２０とともに光軸方向に移動する。
【００７６】
第１直進枠１１０のカム突起Ｂ２は、第１回転枠２１０のカム溝ｂ２に係合される。第１直進枠１１０の直進溝ａ２には、第３直進枠１３０の直進突起Ａ２が係合されている。従って、第１直進枠１１０は、第１回転枠２１０の回転に応じて、光軸方向に直進する。
第３直進枠１３０のバヨネット突起Ｅ２は、第２回転枠２２０のバヨネット溝ｅ２に係合されている。第３直進枠１３０の直進突起Ａ２は、第１直進枠１１０の直進溝ａ２に係合されている。従って、第３直進枠１３０は、第２回転枠２１０とともに光軸方向に直進する。
【００７７】
以上のように、第１回転枠２１０は、カム機構を介して第１直進枠１１０に係合されており、回転することによって第１直進枠１１０を直進させる。また、第２直進枠１２０は、カム機構を介して第１回転枠２１０に係合されており、光軸方向に直進することによって第１回転枠２１０を回転させる。そのため、第２回転枠２２０をズームモータ１０１で回転することによって、第１回転枠２１０を回転させることで第１直進枠１１０を直進させながら、第２直進枠１２０を直進させることで第１回転枠２１０を移動させることができる。その結果、第１乃至第３移動鏡筒部２１〜２３が固定鏡筒部２４からスムーズに繰り出されることとなる。
５．ＯＩＳユニットの動作
最後に、上述したレンズ鏡筒２０の構成に基づいて、ＯＩＳユニットの動作を、説明しておく。
【００７８】
まず、図１５Ａに示すように、撮影可能状態では、退避レンズ枠４０１の第３当接部６０３Ｃが回り止め部５０２に当接することによって、退避レンズ枠４０１は、ＯＩＳ枠４００に対して、第１姿勢（撮影可能姿勢）で位置決めされている。
次に、レンズ鏡筒２０が、撮影可能状態から沈胴状態へと変化を開始すると、図６に示すように、シャッターユニット２５０がマスターフランジ１０５に接近する。すると、シャッターユニット２５０に装着されたＯＩＳ枠４００の係合部５０４が、マスターフランジ１０５に設けられた突出部１０８の先端部に、当接する。すると、突出部１０８の先端部によって、ＯＩＳ枠４００が押圧される。そして、ＯＩＳ枠４００の係合部５０４が、突出部１０８の内周部（先端部より基端側の部分）に当接した状態になると、ＯＩＳ枠４００は、シャッターユニットに対して移動不能になる。
【００７９】
一方で、マスターフランジ１０５の突出部１０８によって、ＯＩＳ枠４００が押圧されている状態では、退避レンズ枠４０１の押圧部６０５が、マスターフランジに設けられた第１退避カム１２５によって、押圧され案内される。
詳細には、突出部１０８の先端部によって、ＯＩＳ枠４００が押圧されている状態では、退避レンズ枠４０１の押圧部６０５が、第１退避カム１２５の第１案内部１２５ａ（図７を参照）に当接し案内されることによって、退避レンズ枠４０１は、第１姿勢から第２姿勢（退避姿勢）に向けて、退避を開始する。
【００８０】
続いて、突出部１０８の基端側の内周部（先端部を除く部分、中央部を含む）によって、ＯＩＳ枠４００が押圧されている状態では、退避レンズ枠４０１の押圧部６０５が、第１退避カム１２５の第２案内部１２５ｂ（図７を参照）に当接し案内されることによって、退避レンズ枠４０１は更に退避する。続いて、退避レンズ枠４０１の押圧部６０５が、第１退避カム１２５の保持部１２５ｃ（図７を参照）に当接する。
【００８１】
最後に、シャッターユニット２５０がマスターフランジ１０５に更に接近すると、退避レンズ枠４０１に設けられた位置決め部６０９が、第２退避カム１２６に当接する。これにより、退避レンズ枠４０１が、退避位置において位置決めされる。
このようにして、シャッターユニット２５０に対するＯＩＳ枠４００の移動が規制され、退避レンズ枠４０１は第２姿勢（退避姿勢）でＯＩＳ枠４００に対して位置決めされる。このときには、退避レンズ枠４０１のレンズ保持部６０２は、ＯＩＳ枠４００の収容部５５０に収容されている。
【００８２】
このように、本レンズ鏡筒２０では、レンズ鏡筒２０が撮影可能状態から沈胴状態へと変化する場合に、ＯＩＳ枠４００の移動の規制と、退避レンズ枠４０１の位置決めとが、同時に実行されている。
６．作用及び効果
（１）本レンズ鏡筒２０は、マスターフランジ１０５と、シャッターユニット２５０と、ＯＩＳ枠４００と、退避レンズ枠４０１とを、備えている。シャッターユニット２５０は、マスターフランジ１０５に支持されている。ＯＩＳ枠４００は、シャッターユニット２５０に保持され、シャッターユニット２５０に対して光軸と垂直な面内で移動可能である。退避レンズ枠４０１は、ＯＩＳ枠４００に保持され、かつ、撮影可能状態と収納状態との移行期間において光軸と略平行な退避軸５０１ｂ回りに移動する。シャッターユニット２５０、ＯＩＳ枠４００、および退避レンズ枠４０１は、撮影可能状態と収納状態との移行期間において、マスターフランジ１０５に対して光軸方向に移動する。撮影可能状態と収納状態との移行期間において、マスターフランジ１０５は、ＯＩＳ枠４００の面内の移動を規制する。
【００８３】
本レンズ鏡筒２０では、撮影可能状態と収納状態との移行期間において、マスターフランジ１０５が、ＯＩＳ枠４００の面内移動を規制する。これにより、収納状態では、ＯＩＳ枠４００の面内移動による部材の接触を回避するためのクリアランス等を設ける必要がないので、レンズ鏡筒２０を小型化することができる。
（２）本レンズ鏡筒２０では、マスターフランジ１０５が、撮影可能状態と収納状態との移行期間においてＯＩＳ枠４００の移動を規制する第１規制部１０７を、有している。ＯＩＳ枠４００は、第１規制部１０７が係合する係合部５０４を、有している。
【００８４】
本レンズ鏡筒２０では、マスターフランジ１０５の第１規制部１０７が、ＯＩＳ枠４００の係合部５０４に係合することによって、撮影可能状態と収納状態との移行期間において、ＯＩＳ枠４００の面内移動が、マスターフランジ１０５によって規制される。これにより、上記のクリアランス等を設ける必要がないので、レンズ鏡筒を小型化することができる。
（３）本レンズ鏡筒２０では、第１規制部１０７が、マスターフランジ１０５に設けられ光軸方向に突出する第１突出部である。係合部５０４は、ＯＩＳ枠４００の外周部に突出して設けられ第１突出部が当接する第２突出部である。
【００８５】
本レンズ鏡筒２０では、第１規制部１０７を、マスターフランジ１０５から光軸方向に突出させ、係合部５０４を、ＯＩＳ枠４００の外周部から突出させている。この構成によって、撮影可能状態と収納状態との移行期間において、マスターフランジ１０５は、ＯＩＳ枠４００の面内の移動を確実に規制することができる。
（４）本レンズ鏡筒２０では、マスターフランジ１０５が、ＯＩＳ枠４００の面内の移動を規制し、且つ退避レンズ枠４０１を退避させる。すなわち、１つの部材（マスターフランジ１０５）だけで、ＯＩＳ枠４００の面内の移動の規制と、退避レンズ枠４０１の退避とを、実現することができるので、ＯＩＳ枠４００の面内規制時の精度及び退避レンズ枠４０１の退避時の精度を、向上することができる。
（実施の形態２）
次に、図２３から図３２を用いて、本発明の第２の実施形態について説明する。以下に示す第２の実施形態の説明における番号及び記号は、図２３から図３２の番号及び記号に対応する。
【００８６】
〈レンズ鏡筒２０の詳細構成〉
まず、レンズ鏡筒２０の詳細構成について、図面を参照しながら説明する。図２３は、レンズ鏡筒２０の斜視図である。図２４は、レンズ鏡筒２０の分解斜視図である。
レンズ鏡筒２０は、３段沈胴式のズーム機構を備える。レンズ鏡筒２０は、図２３及び図２４に示すように、第１移動鏡筒部２１と、第２移動鏡筒部２２と、第３移動鏡筒部２３と、固定鏡筒部２４と、を有している。
【００８７】
１．第１移動鏡筒部２１
第１移動鏡筒部２１は、第１直進枠１１０、第１回転枠２１０及び第１化粧枠３０１を有する。第１直進枠１１０は、後述する固定枠１００の径方向内側に配置される円筒状の樹脂部材である。第１回転枠２１０は、第１直進枠１１０の径方向内側に配置される円筒状の樹脂部材である。第１化粧枠３０１は、第１直進枠１１０の外周を覆う円筒状の板金部材である。
【００８８】
２．第２移動鏡筒部２２
第２移動鏡筒部２２は、第２直進枠１２０、第２回転枠２２０、第３直進枠１３０、第２レンズ群枠３２０、第２レンズ群Ｌ２、第３レンズ群枠３３０、第３レンズ群Ｌ３、シャッター枠３３５および第２化粧枠３０２を有する。
第２直進枠１２０は、第１回転枠２１０の径方向内側に配置される円筒状の樹脂部材である。第２回転枠２２０は、第２直進枠１２０の径方向内側に配置される円筒状の樹脂部材である。
【００８９】
第３直進枠１３０は、第２回転枠２２０の径方向内側に配置される円筒状の樹脂部材である。第２レンズ群枠３２０は、第３直進枠１３０の径方向内側に配置されており、ズーム用の第２レンズ群Ｌ２を支持する。第３レンズ群枠３３０は、シャッター枠３３５に収容され、像ぶれ補正用の第３レンズ群Ｌ３を支持する。第３レンズ群枠３３０は、径方向において揺動自在にシャッター枠３３５によって支持されており、第３レンズ群Ｌ３とともに像ぶれ補正機構を構成している。
【００９０】
シャッター枠３３５は、第３直進枠１３０の径方向内側に配置されており、シャッター機構を内蔵する。シャッター枠３３５は、第３レンズ群枠３３０を径方向において揺動自在に支持する。シャッター枠３３５には、制御用フレキシブル配線３３５ａが接続されている。
制御用フレキシブル配線３３５ａは、固定枠１００の内周面に沿って配置され、図示しない制御装置に接続されている。制御用フレキシブル配線３３５ａは、後述するシャッター機構や像ぶれ補正機構に制御信号を伝達する。第２化粧枠３０２は、第２直進枠１２０の外周を覆う円筒状の板金部材である。
【００９１】
３．第３移動鏡筒部２３
第３移動鏡筒部２３は、第１レンズ群枠３１０、第１レンズ群Ｌ１および第３化粧枠３０３を有する。
第１レンズ群枠３１０は、第２直進枠１２０と第２回転枠２２０との間に配置される。第１レンズ群枠３１０は、レンズ鏡筒２０内に光を取り込むための第１レンズ群Ｌ１を支持する。第３化粧枠３０３は、第１レンズ群枠３１０の外周を覆う円筒状の板金部材である。
【００９２】
４．固定鏡筒部２４
固定鏡筒部２４は、固定枠１００、第４レンズ群枠３４０、第４レンズ群Ｌ４、ズームモータ２４１、ズームギア２４２、フォーカスモータ２４３、マスターフランジ２４４、撮像素子２４５および撮像素子フレキシブル配線２４５ａを有する。
固定枠１００は、第１直進枠１１０および第１回転枠２１０の径方向外側に配置される円筒状の樹脂部材である。第４レンズ群枠３４０は、マスターフランジ２４４に取り付けられ、フォーカスモータ２４３によって光軸方向に駆動される。第４レンズ群枠３４０は、フォーカス調整用の第４レンズ群Ｌ４を支持する。
【００９３】
ズームモータ２４１は、第１乃至第３移動鏡筒部２１〜２３を繰り出すための駆動源であり、固定枠１００の側面に取り付けられる。ズームギア２４２は、ズームモータ２４１の駆動力を第１回転枠２１０に伝達する。ズームギア２４２の前端は、固定枠１００によって支持され、ズームギア２４２の後端は、マスターフランジ２４４によって支持される。フォーカスモータ２４３は、第４レンズ群枠３４０を光軸方向に駆動するための駆動源であり、マスターフランジ２４４に取り付けられる。マスターフランジ２４４は、固定枠１００の後方を覆う板状の樹脂部材である。撮像素子２４５は、マスターフランジ２４４の中央に嵌め込まれる。撮像素子フレキシブル配線２４５ａは、マスターフランジ２４４の後面に貼り付けられる。撮像素子フレキシブル配線２４５ａは、図示しない制御装置に接続されており、撮像素子２４５からの信号を伝達する。
【００９４】
５．枠どうしの係合
図２５−図２７は、レンズ鏡筒２０の断面図である。ただし、図２５−２７は、光軸ＡＸを通る複数の切断面が組み合わされた模式図である。なお、図２５では、レンズ鏡筒２０の沈胴状態が図示され、図２６では、レンズ鏡筒２０のワイド状態が図示され、図２７では、レンズ鏡筒２０のテレ状態が図示されている。本実施形態において、デジタルカメラ１の撮影可能状態とは、レンズ鏡筒２０のワイド状態からテレ状態までの状態を意味する。
【００９５】
第１回転枠２１０のギア部２１２は、ズームギア２４２に噛合される（不図示）。第１回転枠２１０のカムフォロアＢ１は、固定枠１００のカム溝ｂ１に係合される。従って、第１回転枠２１０は、ズームモータ２４１の駆動力によって周方向に回転しながら光軸方向に移動可能である。
第１直進枠１１０の直進突起Ａ１は、固定枠１００の直進溝ａ１に係合される。第１直進枠１１０のバヨネット溝ｅ１には、第１回転枠２１０のバヨネット突起Ｅ１が係合される。従って、第１直進枠１１０は、第１回転枠２１０とともに光軸方向に直進可能である。
【００９６】
第２直進枠１２０の直進カムフォロアＡＢ２は、第１回転枠２１０のカム溝ｂ２に挿通され、かつ、第１直進枠１１０の直進溝ａ２に係合される。従って、第２直進枠１２０は、第１回転枠２１０の回転に応じて、光軸方向に直進可能である。
第２回転枠２２０の直進突起Ａ３は、第１回転枠２１０の直進溝ａ３に係合される。また、第２回転枠２２０のバヨネット突起Ｅ２は、第２直進枠１２０のバヨネット溝ｅ２に係合される。従って、第２回転枠２２０は、第１回転枠２１０とともに周方向に回転しながら、第２直進枠１２０とともに光軸方向に移動可能である。
【００９７】
第３直進枠１３０の係止凹部１３３には、第２直進枠１２０の係止部１２２が係止される。また、第３直進枠１３０のバヨネット突起Ｅ３は、第２回転枠２２０のバヨネット溝ｅ３に係合される。第２回転枠２２０の３つの直進突起Ａ３同士の間隔のうち少なくとも２つ間隔が略１２０°以上離れて配置され、第２直進枠１２０の２つの係止部１２２同士の間隔も同じく略１２０°以上離れて配置されており、ズーム駆動時の互いの相対回転角が略１２０°以下にされている。そのため、第３直進枠１３０は、第２回転枠２２０の回転に干渉することなく、第２直進枠１２０とともに光軸方向に直進可能である。
【００９８】
また、第２回転枠２２０の３つの直進突起Ａ３同士の間隔のうち少なくとも２つの間隔が略１５０°で、第２直進枠１２０の２つの係止部１２２の間隔も同じく略１５０°であり、ズーム駆動時の互いの相対回転角が略１５０°以下とされている。そのため、第３直進枠１３０が第２回転枠２２０の回転に干渉することはない。さらに、他の角度でも同様である。
【００９９】
第１レンズ群枠３１０の直進突起Ａ４は、第２直進枠１２０の直進溝ａ４に係合される。また、第１レンズ群枠３１０のカム突起Ｂ３は、第２回転枠２２０のカム溝ｂ３に係合される。従って、第１レンズ群枠３１０は、第２回転枠２２０の回転に応じて、光軸方向に直進可能である。
第２レンズ群枠３２０の直進突起Ａ５は、第３直進枠１３０の直進溝ａ５に係合される。また、第２レンズ群枠３２０のカム突起Ｂ４は、第２回転枠２２０のカム溝ｂ４に係合される。従って、第２レンズ群枠３２０は、第２回転枠２２０の回転に応じて、光軸方向に直進可能である。
【０１００】
シャッター枠３３５の直進突起Ａ６は、第３直進枠１３０の直進溝ａ６に係合される。また、シャッター枠３３５のカム突起Ｂ５は、第２回転枠２２０のカム溝ｂ５に係合される。従って、シャッター枠３３５は、第２回転枠２２０の回転に応じて、光軸方向に直進可能である。
シャッター枠３３５には、第３レンズ群枠３３０が装着されており、シャッター枠３３５が第３直進枠１３０に対して光軸方向に直進すると、第３レンズ群枠３３０の退避レンズ枠４０１が、退避機構（第３直進枠本体１３０の案内溝ａ７及び退避レンズ枠４０１の被駆動部４１１）によって回動させられる。これにより、撮影可能状態と収納状態との移行期間において、退避レンズ枠４０１は、退避位置から補正可能位置へと移動する。また、撮影可能状態と収納状態との移行期間においては、退避レンズ枠４０１は、補正可能位置から退避位置へと移動する。退避レンズ枠４０１が補正可能位置に配置された場合、第３レンズ群L３は、光軸と垂直な面内で移動可能である。すなわち、この状態では、像ぶれ補正が可能である。
【０１０１】
以上のように、ズームモータ２４１の駆動力による第１回転枠２１０および第２回転枠２２０の回転によって、第１乃至第３直進枠１１０〜１３０と各レンズ群枠３１０，３２０，３３５の直進が実現されている。
〈退避機構の構成〉
以下において、レンズ鏡筒２０の退避機構の構成について、図面を参照しながら説明する。
【０１０２】
６．第３直進枠１３０の構成
図２８及び図２９は、第３直進枠１３０の斜視図である。
第３直進枠１３０は、第３直進枠本体１３１と、フランジ部１３２と、２つの係止凹部１３３と、を有する。
第３直進枠本体１３１は、円筒状に形成され、内周面１３０Ｓと外周面１３０Ｔを有する。
【０１０３】
フランジ部１３２は、円環状に形成され、外周面１３０Ｔの後端部上に立設されている。
２つの係止凹部１３３は、フランジ部１３２の外縁に形成される切り欠きである。第２直進枠１２０の２つの係止部１２２が第３直進枠１３０の２つの係止凹部１３３に係止されることによって、第３直進枠１３０の第２直進枠１２０に対する相対回転が抑止される。
【０１０４】
また、第３直進枠１３０は、２つのバヨネット突起Ｅ３と、３つの直進溝ａ５と、３つの直進溝ａ６と、を有する。ただし、図２８では、バヨネット突起Ｅ３は２つだけ図示されている。
２つのバヨネット突起Ｅ３は、外周面１３０Ｔの略中央部において周方向に沿って形成される。２つのバヨネット突起Ｅ３は、第２回転枠２２０の２本のバヨネット溝ｅ３に係合される。本実施形態において、バヨネット突起Ｅ３とバヨネット溝ｅ３とは、第３直進枠１３０を第２回転枠２２０に回転自在に係合するためのバヨネット機構を構成している。
【０１０５】
３つの直進溝ａ５は、内周面１３０Ｓから外周面１３０Ｔまで第３直進枠本体１３１を貫通している。
３つの直進溝ａ６は、内周面１３０Ｓから外周面１３０Ｔまで第３直進枠本体１３１を貫通している。
本実施形態において、３つの直進溝ａ５と３つの直進溝ａ６とは、周方向において交互に配置されている。
【０１０６】
図２８に示すように、第３直進枠１３０は、第３直進枠本体１３１の内周面に形成された案内溝ａ７と、案内溝ａ７の近傍に形成された補強部１３０Ｈ（斜線部）とを、さらに有している。
案内溝ａ７は、後述する被駆動部４１１を、カムフォロア−として案内する。案内溝ａ７と被駆動部４１１とによって、退避レンズ枠４０１を移動させるためのカム機構が、構成されている。このカム機構は、第３直進枠１３０が退避レンズ枠４０１に対して光軸方向に相対移動することによって、退避レンズ枠４０１の姿勢を変更させる。
【０１０７】
図２８のように、案内溝ａ７は、光軸に対して斜めになっている部分（傾斜部）と、光軸と平行になっている部分（平行部）とを、有している。この傾斜部に被駆動部４１１が案内されることによって、退避レンズ枠４０１は、退避軸５０１ｂ周りに回動する。退避レンズ枠４０１は、退避軸５０１ｂ周りに回動することで、像ぶれ補正可能位置と退避位置の間を遷移する。
【０１０８】
退避レンズ枠４０１は、回動バネ４０３により、退避軸５１０回りに付勢されている。
従って、案内溝ａ７と被駆動部４１１とで、回動バネ４０３の付勢力に抵抗して、退避レンズ枠４０１を回動させる場合、被駆動部４１１は案内溝ａ７の片面（片方の側面）で当接する。このため、この光軸方向後側の側面だけを用意すれば、退避レンズ枠４０１を回動させることはできる。
【０１０９】
被駆動部４１１と係合する案内溝ａ７が、第３直進枠１３０に形成されていることによって、撮影可能状態と収納状態との移行期間において、退避レンズ枠４０１の回転開始を、早いタイミングで行うことができる。
また、被駆動部４１１と係合する案内溝ａ７が、第３直進枠１３０に形成されていることによって、退避レンズ枠４０１の回転精度を向上することができる。
【０１１０】
さらに、被駆動部４１１と係合する案内溝ａ７を、第３直進枠１３０に形成することによって、退避時のセンタリングを精度良く行うことができる。案内溝ａ７が第３直進枠１３０に構成されている場合には、ＯＩＳ枠４００のセンターリング機構も第３直進枠１３０に形成されている。このため、退避レンズ枠４０１及びＯＩＳ枠４００の位置精度を、向上することができる。
【０１１１】
補強部１３０Ｈは、第３直進枠本体１３１に部分的に形成されている。補強部１３０Ｈは、第３直進枠本体１３１の内周面に形成されている。より具体的には、補強部１３０Ｈは、第３直進枠本体１３１の内方に向けて突出するように、第３直進枠本体１３１に形成されている。すなわち、第３直進枠本体１３１の外周面を基準として、補強部１３０Ｈの厚みが他の部分の厚みより内周側に向けて厚くなるように、補強部１３０Ｈは形成されている。また、補強部１３０Ｈは、案内溝ａ７の近傍、例えば案内溝ａ７に隣接して、形成されている。
【０１１２】
補強部１３０Ｈの厚みは、案内溝ａ７の深さによって決定される。すなわち、案内溝ａ７の深さ（案内溝ａ７の径方向寸法）が補強部１３０Ｈに収まるように、補強部１３０Ｈの厚さが設定されている。また、案内溝ａ７の深さは、案内溝ａ７に挿入される被駆動部４１１のサイズ（高さ）によって決定される。案内溝ａ７の深さ（案内溝ａ７の径方向寸法）は、被駆動部４１１の高さ（被駆動部４１１の径方向寸法）を収容可能なように、設定されている。
【０１１３】
第３直進枠本体１３１の厚みは、レンズ鏡筒２０の外径を小さくするために、出来るだけ薄くすることが望ましい。しかしながら、退避レンズ枠４０１を移動させるためのカム機構、すなわち案内溝ａ７と被駆動部４１１とが係合する部分は、強度が必要なため、所定の肉厚が必要となる。この所定の肉厚を有する部分を、第３直進枠本体１３１の内周面側に形成することで、第３直進枠本体１３１の外径の大型化を、抑えることができる。すなわち、レンズ鏡筒２０の外径の大型化を、抑えることができる。
【０１１４】
図２９に示すように、第３直進枠１３０は、シャッター枠３３５又は第３直進枠１３０に対するＯＩＳ枠４００の移動を規制するための３つの片寄せ溝ａ９を、有している。３つの片寄せ溝ａ９は、第３直進枠本体１３１の内周面１３０Ｓに形成されている。３つの片寄せ溝ａ９は、内周面１３０Ｓにおいて、円周方向に互いに所定の間隔を隔てて、第３直進枠本体１３１に形成されている。
【０１１５】
３つの片寄せ溝ａ９は、光軸方向に延びる溝部である。片寄せ溝ａ９は、フランジ部１３２側の溝部が大きくなるように、形成されている。具体的には、片寄せ溝ａ９は、第１溝ａ９１と、第２溝ａ９２と、第３溝ａ９３とを、有している。第１溝ａ９１及び第２溝ａ９２は、光軸と直交する断面の形状が、半円又は半楕円又は台形又は矩形又は放物線又はそれらの組合せた形状である。
【０１１６】
第１溝ａ９１は、フランジ部１３２側に形成された溝部である。第１溝ａ９１の溝幅及び溝深さは、第２溝ａ９２の溝幅及び溝深さより、大きくなっている。第３溝ａ９３は、第１溝ａ９１の溝幅及び溝深さから、第２溝ａ９２の溝幅及び溝深さに滑らかに変化するように、斜面又は円錐面又は曲面又はそれらを組合せた形状で構成されている。後述するＯＩＳ枠４００の片寄せ突起４０４（図３２を参照）が、第１溝ａ９１に配置された場合、片寄せ突起４０４第１溝ａ９１の内部において、片寄せ突起４０４は移動可能である。すなわち、この場合、ＯＩＳ枠４００は、シャッター枠３３５又は第３直進枠１３０に対して光軸に直交する面内で移動可能である。
【０１１７】
第２溝ａ９２は、第１溝ａ９１から光軸方向に延びる溝部である。後述するＯＩＳ枠４００の片寄せ突起４０４（図３２を参照）が第２溝ａ９２に配置されると、ＯＩＳ枠４００は、シャッター枠３３５又は第３直進枠１３０に対して、半径方向及び周方向において拘束される。これにより、シャッター枠３３５又は第３直進枠１３０に対するＯＩＳ枠４００の移動が、規制される。
【０１１８】
第３溝ａ９３は、第１溝ａ９１と第２溝ａ９２を繋ぐ、光軸方向に延びる溝部である。後述するＯＩＳ枠４００の片寄せ突起４０４（図３２を参照）が第３溝ａ９３に配置されると、ＯＩＳ枠４００は、シャッター枠３３５又は第３直進枠１３０に対して、光軸に直交する面内で移動可能な状態から、徐々に半径方向及び周方向において規制される状態に、遷移する。
【０１１９】
すなわち、ＯＩＳ枠４００の片寄せ突起４０４が、第１溝ａ９１から、第３溝ａ９３を経て、第２溝ａ９２に配置されることによって、ＯＩＳ枠４００のセンタリングが行われる。
ＯＩＳ枠４００をセンタリングする機構（センタリング機構）は、第３直進枠１３０の片寄せ溝ａ９（ａ９１，ａ９２，ａ９３）と、ＯＩＳ枠４００の片寄せ突起４０４とから、構成される。
【０１２０】
７．第３レンズ群枠３３０の構成
図３０では、シャッター枠３３５の内部に第３レンズ群枠３３０が収容された状態が図示されている。図３０を用いて、第３レンズ群枠３３０の構成を説明する。
第３レンズ群枠３３０すなわちＯＩＳ（Ｏｐｔｉｃａｌ  Ｉｍａｇｅ  Ｓｔａｂｉｌｉｚｅｒ）ユニットは、主に、ＯＩＳ枠４００と、退避レンズ枠４０１と、スラストバネ４０２と、回動バネ４０３と、像ぶれ補正用の第３レンズ群Ｌ３と、を有している。
【０１２１】
図３０に示すように、ＯＩＳ枠４００は、シャッター枠３３５に装着されている。ＯＩＳ枠４００のシャッター枠３３５に対する光軸方向位置は、シャッター枠３３５に圧入された３本のＯＩＳシャフトを、３箇所のＯＩＳ枠４００の光軸方向保持部が光軸方向に挟み込むことで、保持される。ＯＩＳ枠４００のシャッター枠３３５に対する光軸と直交する方向位置は、シャッター枠３３５に圧入された１本のＯＩＳ回動軸を１箇所のＯＩＳ枠４００の直交方向保持部が光軸方向に挟み込み、光軸方向ストッパーピンが、ＯＩＳ枠４００の移動範囲規制部３３８の周壁に当接することによって、保持される。
【０１２２】
図３１及び図３２に示すように、ＯＩＳ枠４００は、本体部４０５と、第１連結部４０７と、第２連結部４０８とを、有している。本体部４０５は、孔部４０５ａと、第１切欠部４０５ｂとを、有している。
ＯＩＳ枠４００がシャッター枠３３５に装着された状態において、第１連結部４０７は、後述するマグネット５２１及びコイル５２２（アクチュエータ）の上方に配置される。
【０１２３】
ＯＩＳ枠４００は、光軸と垂直な面内で移動可能である。より具体的にはマグネット５２１が、ＯＩＳ枠４００に固定されており、コイル５２２が、マグネット５２１に対向する位置においてシャッター枠３３５に固定されている。この状態において、電力が、図示しないカメラ回路からシャッター枠３３５のコイル５５２に供給されると、コイル５５２に電流が流れ磁界が発生する。この磁界によってＯＩＳ枠４００のマグネット５２１が駆動され、この駆動力によりＯＩＳ枠４００が光軸と垂直な面内で移動する。
【０１２４】
図３２に示すように、ＯＩＳ枠４００は、第３直進枠１３０の片寄せ溝ａ９に係合する片寄せ突起４０４を、有している。片寄せ突起４０４は、ＯＩＳ枠４００の本体部４０５に一体に形成されている。具体的には、２つの片寄せ突起４０４が、本体部４０５の外周部から外方に突出するように、本体部に形成されている。また、２つの片寄せ突起４０４は、本体部４０５の外周部周りに所定の間隔を隔てて、本体部４０５に一体に形成されている。２つの片寄せ突起４０４は、第３直進枠１３０の２つの片寄せ溝ａ９に、格別に嵌合され案内される。
【０１２５】
より具体的には、ＯＩＳ枠４００がシャッター枠３３５に装着された状態で、ＯＩＳ枠４００が第３直進枠１３０に接近すると、ＯＩＳ枠４００に形成された片寄せ突起４０４が、第３直進枠１３０のフランジ部１３２側から、第３直進枠１３０の第１溝ａ９１に導入される。片寄せ突起４０４が第１溝ａ９１に配置された状態では、ＯＩＳ枠４００は、シャッター枠３３５又は第３直進枠１３０に直交する面内で移動可能である。
【０１２６】
続いて、ＯＩＳ枠４００がシャッター枠３３５に装着された状態で、ＯＩＳ枠４００が、第３直進枠１３０の内周側にて光軸方向にさらに移動すると、片寄せ突起４０４が第３溝ａ９３に導入される。すると、ＯＩＳ枠４００は、シャッター枠３３５又は第３直進枠１３０に対して、光軸に直交する面内で移動可能な状態から、徐々に半径方向及び周方向において規制される状態に遷移する。
【０１２７】
続いて、片寄せ突起４０４が第２溝ａ９２に導入されると、片寄せ突起４０４が第２溝ａ９２によって、第３直進枠１３０の内周面１３０Ｓから離れる方向に押圧される。これにより、シャッター枠３３５又は第３直進枠１３０に対するＯＩＳ枠４００の移動が、規制される。このようにして、ＯＩＳ枠４００のセンタリングが行われる。なお、ＯＩＳ枠４００のセンタリングは、本実施麗では、退避レンズ枠４０１が退避動作を開始する前に、実行されることとしたが、退避動作完了までにセンタリングが完了していれば良い。
【０１２８】
図３１に示すように、退避レンズ枠４０１は、光軸と略平行な退避軸５０１ｂ回りに移動可能に、ＯＩＳ枠４００に保持されている。退避レンズ枠４０１は、像ぶれ補正用の第３レンズ群Ｌ３を第３レンズ保持部４２０により保持する。第３レンズ群Ｌ３は、少なくとも１つのレンズから構成される。
なお、以下では、「退避軸」という文言は、「退避軸の軸芯」という意味で用いられることがある。
【０１２９】
図３１に示すように、退避レンズ枠４０１は、本体部４０１ａと、軸受け部４１０と、被駆動部４１１と、位置決め部４１２と、第３レンズ保持部４２０と、係合部（図示しない）とを、有している。軸受け部４１０は、本体部４０１ａに一体に形成されている。
図３１及び図３２に示すように、軸受け部４１０は、ＯＩＳ枠４００に設けられた支持軸５０１ｂ（退避軸）に、回転自在に装着される。軸受け部４１０には、退避軸５０１ｂが挿入される穴部が、形成されている。
【０１３０】
被駆動部４１１は、撮影可能状態と収納状態との移行期間において、後述する回動バネ４０３の付勢力に反して、駆動される部分である。被駆動部４１１は、本体部４０１ａから外方に突出して一体に形成されている。被駆動部４１１は、第３直進枠１３０の内周面に形成された案内溝ａ７に、係合する。詳細には、被駆動部４１１は、シャッター枠３３５の開口部（図示しない）を介して、第３直進枠１３０の案内溝ａ７に係合する。被駆動部４１１は、第３直進枠１３０が退避レンズ枠４０１に対して光軸方向に相対移動することによって、第３直進枠１３０の案内溝ａ７に案内される。これにより、退避レンズ枠４０１の姿勢が、撮影可能状態と収納状態との移行期間において変化する。
【０１３１】
８．シャッター枠３３５の構成
続いて、図３０及び図３１を参照しながら、シャッター枠３３５の構成について説明する。
図３０に示すように、シャッター枠３３５は、シャッター枠本体３３６と、３つの直進突起Ａ６と、３つのカム突起Ｂ５とを、有している。また、図３１に示すように、シャッター枠３３５は、開口部３５６と、遮光部３５７と、第１規制部３３７ａと、を有している。
【０１３２】
シャッター枠本体３３６は、円筒状に形成され、外周面３３５Ｔを有する。
３つの直進突起Ａ６は、外周面３３５Ｔ上に形成され、周方向において略等ピッチで配置される。３つの直進突起Ａ６は、第３直進枠１３０の３本の直進溝ａ６に係合される。
３つのカム突起Ｂ５は、３つの直進突起Ａ６の前端部に立設される。３つのカム突起Ｂ５は、第２回転枠２２０の３本のカム溝ｂ５に係合される。
【０１３３】
開口部３５６は、撮影可能状態と収納状態との移行期間において第３レンズ保持部４２０の一部４２０ｂを収納する部分である。図３０に示すように、撮影可能状態と収納状態との移行期間において第３レンズ保持部４２０の一部４２０ｂは、第２切欠部４２０ａに隣接した部分である。詳細には、遮光部３５７は、光線を遮断するために開口部３５６に設けられている。
【０１３４】
９．作用及び効果
（１）本レンズ鏡筒２０では、撮影可能状態と収納状態との移行期間において、第３直進枠１３０が、ＯＩＳ枠４００の面内移動を規制する。これにより、収納状態では、ＯＩＳ枠４００の面内移動による部材の接触を回避するためのクリアランス等を設ける必要がないので、レンズ鏡筒２０を小型化することができる。
（２）本レンズ鏡筒２０では、第３直進枠１３０の片寄せ溝ａ９が、ＯＩＳ枠４００の片寄せ突起４０４に係合することによって、撮影可能状態と収納状態との移行期間において、ＯＩＳ枠４００の面内移動が、第３直進枠１３０によって規制される。これにより、上記のクリアランス等を設ける必要がないので、レンズ鏡筒を小型化することができる。
（３）本レンズ鏡筒２０では、第３直進枠１３０が、ＯＩＳ枠４００の面内の移動を規制し、且つ退避レンズ枠４０１を退避させる。すなわち、１つの部材（第３直進枠１３０）だけで、ＯＩＳ枠４００の面内の移動の規制と、退避レンズ枠４０１の退避とを、実現することができるので、ＯＩＳ枠４００の面内規制時の精度及び退避レンズ枠４０１の退避時の精度を、向上することができる。
【０１３５】
（その他の実施形態）
（Ａ）上記実施形態において、レンズ鏡筒２０は、第３直進枠１３０を備えることとしたが、第３直進枠１３０を備えていなくてもよい。
（Ｂ）上記実施形態において、第２直進枠１２０は、第１回転枠２１０の内側に配置されることとしたが、これに限られるものではない。第２直進枠１２０は、第１回転枠２１０の外側に配置されていてもよい。すなわち、第２直進枠１２０は、第１直進枠１１０の内側に配置されていればよい。
【０１３６】
（Ｃ）上記実施形態において、レンズ鏡筒２０は、第１乃至第５レンズ群Ｌ１〜Ｌ５を備えることとしたが、これに限られるものではない。レンズ鏡筒２０は、少なくとも第１レンズ群Ｌ１を備えていればよい。
（Ｄ）上記実施形態において、レンズ鏡筒２０は、３段沈胴式のズーム機構を備えることとしたが、これに限られるものではない。レンズ鏡筒２０は、３段以上の沈胴機構を有していてもよい。
【０１３７】
（Ｅ）上記実施形態では、２つの枠のうち一方の枠にカム溝ｂが形成され、他方の枠にカム突起Ｂが形成されているが、これに限られるものではない。２つの枠のうち一方の枠にカム突起Ｂが形成され、他方の枠にカム溝ｂが形成されていてもよい。また、２つの枠のそれぞれにカム溝ｂとカム突起Ｂとが形成されていてもよい。
（Ｆ）上記実施形態では、２つの枠のうち一方の枠に直進溝ａが形成され、他方の枠に直進突起Ａが形成されているが、これに限られるものではない。２つの枠のうち一方の枠に直進突起Ａが形成され、他方の枠に直進溝ａが形成されていてもよい。また、２つの枠のそれぞれに直進溝ａと直進突起Ａとが形成されていてもよい。
【０１３８】
（Ｇ）上記実施形態では、２つの枠のうち一方の枠にバヨネット溝ｅが形成され、他方の枠にバヨネット突起Ｅが形成されているが、これに限られるものではない。２つの枠のうち一方の枠にバヨネット突起Ｅが形成され、他方の枠にバヨネット溝ｅが形成されていてもよい。また、２つの枠のそれぞれにバヨネット溝ｅとバヨネット突起Ｅとが形成されていてもよい。
【０１３９】
（Ｈ）上記実施形態では、第３レンズ群Ｌ３が第４及び第５レンズ群Ｌ４，Ｌ５の径方向外側に退避することとしたが、これに限られるものではない。第３レンズ群Ｌ３は、沈胴状態において第４及び第５レンズ群Ｌ４，Ｌ５の前方に配置されてもよい。
（Ｉ）上記実施形態では、退避軸部５０１（退避軸５０１ｂ）がＯＩＳ枠４００に設けられ、軸保持部６０１が退避レンズ枠４０１に設けられる場合の例を示したが、軸保持部６０１をＯＩＳ枠４００に設け、退避軸部５０１（退避軸５０１ｂ）を退避レンズ枠４０１に設けるようにしてもよい。
【０１４０】
（Ｊ）上記実施形態では、図１２に示すように、ＯＩＳ枠４００の回り止め部５０２が凹状に形成されており、回り止め部５０２の傾斜面５０２ａに、退避レンズ枠４０１の第３当接部６０３Ｃが、当接する場合の例を、示した。これに代えて、図３３に示すように、回り止め部５０２’の凹部５１２における２つの側面５１２ａに、退避レンズ枠４０１の第３当接部６０３Ｃが当接するようにしてもよい。この場合、凹部５１２の２つの側壁５１２ａは、互いに対向しており傾斜している。より具体的には、凹部５１２の２つの側壁５１２ａは、凹部５１２の底部５１２ｂに向けて互いに接近するように、形成されている。これにより、退避レンズ枠４０１を、ＯＩＳ枠４００に対してより確実に位置決めすることができる。
【０１４１】
（Ｋ）上記実施形態では、１つの部材（第１実施形態ではマスターフランジ１０５、第２実施形態では第３直進枠１３０）だけで、ＯＩＳ枠４００の面内の移動を規制し、且つ退避レンズ枠４０１を退避させる場合の例を、示した。これに代えて、複数の部材によって、ＯＩＳ枠４００の面内の移動の規制と、退避レンズ枠４０１の退避とを、実現してもよい。
【産業上の利用可能性】
【０１４２】
ここに開示された技術は、レンズ鏡筒に広く適用できる。
【符号の説明】
【０１４３】
１    …デジタルカメラ
１０  …筐体
２０  …レンズ鏡筒
２１  …第１移動鏡筒部
２２  …第２移動鏡筒部
２３  …第３移動鏡筒部
２４  …固定鏡筒部
１００…固定枠
１１０…第１直進枠
１０１…ズームモータ
１０２…ズームギア
１２０…第２直進枠
１３０…第３直進枠
２１０…第１回転枠
２１１…ギア部
２２０…第２回転枠
３１０…第１化粧枠
３２０…第２化粧枠
Ｆ２〜Ｆ５…第２乃至第５レンズ群枠
Ｌ１〜Ｌ５…第１乃至第５レンズ群
ａ  …直進溝
Ａ  …直進突起
ｂ  …カム溝
Ｂ  …カムフォロア
ｃ  …貫通溝
ｅ  …バヨネット溝
Ｅ  …バヨネット突起
【図１】
2015079017.tif 000003
【図２】
2015079017.tif 000004
【図３】
2015079017.tif 000005
【図４】
2015079017.tif 000006
【図５】
2015079017.tif 000007
【図６】
2015079017.tif 000008
【図７】
2015079017.tif 000009
【図８】
2015079017.tif 000010
【図９】
2015079017.tif 000011
【図１０】
2015079017.tif 000012
【図１１】
2015079017.tif 000013
【図１２】
2015079017.tif 000014
【図１３】
2015079017.tif 000015
【図１４】
2015079017.tif 000016
【図１５Ａ】
2015079017.tif 000017
【図１５Ｂ】
2015079017.tif 000018
【図１６】
2015079017.tif 000019
【図１７Ａ】
2015079017.tif 000020
【図１７Ｂ】
2015079017.tif 000021
【図１７Ｃ】
2015079017.tif 000022
【図１８】
2015079017.tif 000023
【図１９】
2015079017.tif 000024
【図２０】
2015079017.tif 000025
【図２１】
2015079017.tif 000026
【図２２】
2015079017.tif 000027
【図２３】
2015079017.tif 000028
【図２４】
2015079017.tif 000029
【図２５】
2015079017.tif 000030
【図２６】
2015079017.tif 000031
【図２７】
2015079017.tif 000032
【図２８】
2015079017.tif 000033
【図２９】
2015079017.tif 000034
【図３０】
2015079017.tif 000035
【図３１】
2015079017.tif 000036
【図３２】
2015079017.tif 000037
【図３３】
2015079017.tif 000038